(57)【要約】【課題】  カメラの小型化を容易にし、なおかつストラップも取付けられて、カメラ表面における各部材の効率的な配置を可能にする三脚取付け具を提供する。【解決手段】  デジタルカメラ側面３０Ｓ上に設けられる三脚取付け具１０は、本体部１２と、リング状のストラップ取付け部材２０とを有する。本体部１２は、ネジ穴１４が設けられた中心部２４と、ストラップ取付け部材２０が取付けられた外周部２６とを含む。中心部２４は、ネジ穴１４に沿った方向の長さが、外周部２６よりも長く、ネジ穴１４は、三脚のネジを強固に固定するために必要な深さを有する。外周部２６は、ネジ穴１４に垂直な方向の長さが中心部２４よりも長いため、外周部２６の側面２６Ｓとネジ穴１４との間で、デジタルカメラ３０の自重に耐えるために必要とされる軸部材２２の長さは、容易に確保される。【選択図】        図４
2006064725.tif 000002
【特許請求の範囲】
【請求項１】
カメラに設けられる三脚取付け具であって、
三脚取付け用のネジ穴が設けられた本体部と、
前記本体部に設けられたストラップ取付け部とを備え、
前記本体部が、前記ネジ穴の開口部側の先端部が前記カメラの外装面よりも外側に突出するように設けられることを特徴とする三脚取付け具。
【請求項２】
前記ストラップ取付け部が、前記本体部の異なる２箇所を連結する環状部材であることを特徴とする請求項１に記載の三脚取付け具。
【請求項３】
前記ストラップ取付け部が、前記カメラ外装面近傍に取付けられていることを特徴とする請求項１に記載の三脚取付け具。
【請求項４】
前記ストラップ取付け部が、前記本体部の前記ネジ穴の軸方向に対して垂直に挿入される軸部材を有し、前記軸部材を中心に回転可能であることを特徴とする請求項１に記載の三脚取付け具。
【請求項５】
前記ネジ穴が、前記カメラ外装面に対して垂直な方向に設けられていることを特徴とする請求項１に記載の三脚取付け具。
【請求項６】
前記ストラップ取付け部が、前記ネジ穴の中心軸に対して互いに対称な位置にある２箇所を連結することを特徴とする請求項５に記載の三脚取付け具。
【請求項７】
前記先端部に、前記ネジ穴の軸方向に対して垂直な平面が設けられていることを特徴とする請求項１に記載の三脚取付け具。
【請求項８】
前記本体部が、前記ネジ穴が設けられた中心部と、前記中心部の周囲にある外周部とを有し、前記ストラップ取付け部が、前記外周部に取付けられていることを特徴とする請求項１に記載の三脚取付け具。
【請求項９】
前記外周部の前記ネジ穴径方向の長さが、前記中心部の前記ネジ穴径方向の長さよりも長いことを特徴とする請求項８に記載の三脚取付け具。
【請求項１０】
前記中心部の前記ネジ穴軸方向の長さが、前記外周部の前記ネジ穴軸方向の長さよりも長いことを特徴とする請求項８に記載の三脚取付け具。
【請求項１１】
三脚取付け用のネジ穴が設けられた本体部と、
前記本体部に設けられたストラップ取付け部とを備えた三脚取付け具が設けられたカメラであって、
前記本体部が、前記ネジ穴の開口部側の先端部が前記カメラ外装面よりも外側に突出するように設けられていることを特徴とするカメラ。
【請求項１２】
前記カメラが、撮影光学系を有する撮像部と、連結軸を介して前記撮像部に連結されたカメラ本体部とを有し、
前記撮像部と前記カメラ本体部とが前記連結軸を中心に回転自在であって、前記三脚取付け具が、前記連結軸の延長線上に設けられたことを特徴とする請求項１１に記載のカメラ。
【請求項１３】
前記三脚取付け具が、前記連結軸を含まない前記カメラの側面に設けられたことを特徴とする請求項１２に記載のカメラ。
【請求項１４】
前記三脚取付け具が、前記カメラの重心を通り、前記カメラのいずれかの表面に平行な直線上にあることを特徴とする請求項１１に記載のカメラ。
【発明の詳細な説明】
【技術分野】
【０００１】
本発明は、カメラを三脚に取付けるための三脚取付け具に関する。
【背景技術】
【０００２】
一般に、三脚の雲台にカメラを取付けるために、カメラの底面には三脚取付け用のネジ穴が設けられている。また、カメラの表面、主として側面には、カメラを持ち運ぶためのストラップが取付けられるように、ストラップ取付け部が設けられている。
【発明の開示】
【発明が解決しようとする課題】
【０００３】
カメラに三脚取付け用のネジ穴を設ける場合、カメラ内部における部品の配置について制約が生じ、カメラの小型化が困難になる。また、一般に、三脚取付け用部材とストラップ取付け部とは、いずれもカメラの自重を支える必要があるために強度が高められており、互いに独立して設けられている。このため、それぞれの配置スペースが必要となり、カメラ表面における各部材の効率的な配置の制約となっている。
【０００４】
本発明は、カメラの小型化を容易にし、なおかつカメラ表面における各部材の効率的な配置を可能にするために、ストラップも取付け可能な三脚取付け具を提供することを目的とする。
【課題を解決するための手段】
【０００５】
本発明の三脚取付け具は、カメラに設けられ、三脚取付け用のネジ穴が設けられた本体部と、本体部に設けられたストラップ取付け部とを備えている。そして、本体部が、ネジ穴の開口部側の先端部がカメラの外装面よりも外側に突出するように設けられることを特徴とする。
【０００６】
ストラップ取付け部は、例えば本体部の異なる２箇所を連結する環状の部材である。また、ストラップ取付け部は、カメラ外装面近傍に取付けられていることが好ましい。
【０００７】
ストラップ取付け部は、本体部のネジ穴の軸方向に対して垂直に挿入される軸部材を有し、軸部材を中心に回転可能であることが望ましい。
【０００８】
ネジ穴は、カメラ外装面に対して垂直な方向に設けられていることが好ましく、この場合、ストラップ取付け部が、ネジ穴の中心軸に対して互いに対称な位置にある２箇所を連結することがより好ましい。また、先端部には、ネジ穴の軸方向に対して垂直な平面を有することが好ましい。
【０００９】
本体部は、例えば、ネジ穴が設けられた中心部と、中心部の周囲にある外周部とを有し、ストラップ取付け部が、外周部に取付けられている。この場合、外周部のネジ穴径方向の長さが、中心部のネジ穴径方向の長さよりも長いことが好ましく、また、中心部のネジ穴軸方向の長さが、外周部のネジ穴軸方向の長さよりも長いことが好ましい。
【００１０】
本発明のカメラには、三脚取付け用のネジ穴が設けられた本体部と、本体部に設けられたストラップ取付け部とを備えた三脚取付け具が設けられている。三脚取付け具が表面上に設けられている。そして、本体部が、ネジ穴の開口部側の先端部がカメラ外装面よりも外側に突出するように設けられていることを特徴とする。
【００１１】
カメラは、例えば、撮影光学系を有する撮像部と、連結軸を介して撮像部に連結されたカメラ本体部とを有し、撮像部とカメラ本体部とが連結軸を中心に回転自在である。この場合、三脚取付け具は、連結軸の延長線上に設けられることが好ましく、三脚取付け具は、例えば、連結軸を含まないカメラの側面に設けられる。
【００１２】
三脚取付け具は、カメラの重心を通り、カメラのいずれかの表面に平行な直線上にあることが好ましい。
【発明の効果】
【００１３】
本発明によれば、カメラの小型化を容易にし、なおかつストラップも取付けられて、カメラ表面における各部材の効率的な配置を可能にする三脚取付け具を提供できる。
【発明を実施するための最良の形態】
【００１４】
以下、本発明の実施形態を、図面を参照して説明する。図１は、三脚取付け具とデジタルカメラとを示す斜視図である。図２は、三脚取付け具とデジタルカメラの正面図である。
【００１５】
三脚取付け具１０は、デジタルカメラ３０を三脚に固定するためと、デジタルカメラ３０の携帯用のストラップ（図示せず）を取付けるために、デジタルカメラ３０の側面３０Ｓ上に設けられる。三脚取付け具１０は、三脚取付け用のネジ穴１４が設けられた本体部１２と、本体部１２上の２箇所を連結するＤ字型のリング状のストラップ取付け部材２０とを有する。本体部１２は、その一端がデジタルカメラ３０内の不図示の部材に固定されており、ネジ穴１４の開口を有する先端部が、デジタルカメラ３０の外装面から外側に突出している。ストラップは、ストラップ取付け部材２０のリングの内側に通され、ストラップ取付け部材２０に取付けられる。ストラップ取付け部材２０は、デジタルカメラ側面３０Ｓの近傍に取付けられており、本体部１２に挿入される軸部材２２を中心に、矢印Ａが示すように、揺動自在である。
【００１６】
デジタルカメラ３０は、撮影光学系３２を有する撮像部３４と、液晶モニタ３６などを有するカメラ本体部４０とを含む。撮像部３４とカメラ本体部４０とは、カメラ本体部上面４０Ｕに平行な連結軸４２を介して接続されていて（図２参照）、連結軸４２を中心に互いに回転可能である。また、連結軸４２の中心は、デジタルカメラ３０の重心（図示せず）を通っており、三脚取付け具１０は、連結軸４２の延長線Ｌ上に設けられている。このため、三脚取付け時、及びストラップによる携帯時のデジタルカメラ３０のバランスが良好に保たれる。なお、図２より明らかなように、三脚取付け具１０は、連結軸４２を含まないデジタルカメラ側面３０Ｓ上に設けられている。
【００１７】
本体部１２は、ネジ穴１４が設けられた中心部２４と、中心部２４の周囲にあって、ストラップ取付け部材２０が取付けられた外周部２６とを含む。本体部１２は、ネジ穴の深さ方向（ネジ穴軸方向）を中心軸とした円柱形状をなす。中心部２４の先端部には、ネジ穴１４の軸方向に垂直な平面である先端面１４Ｄが設けられており、三脚取り付け時において、この先端面１４Ｄが三脚の雲台面と当接して、カメラの安定保持に寄与する。中心部２４は、ネジ穴１４の中心軸に沿った方向の長さ、すなわち連結軸４２方向の長さが、外周部２６よりも長い。このため、ネジ穴１４は、デジタルカメラ３０の外側に設けられているにも関わらず、三脚のネジを強固に固定するのに十分な深さを有する。
【００１８】
図３は、三脚取付け具とデジタルカメラの側面図である。なお、図３においては、ストラップ取付け部材２０は、デジタルカメラ側面３０Ｓに平行な位置にある。
【００１９】
ストラップ取付け部材２０の両端にある２つの軸部材２２は、外周部２６上の、ネジ穴１４の中心軸Ｃに対して互いに対称な位置に挿入されている。さらに、ストラップ取付け部材２０は、内周寸法が外周部２６の半径方向寸法よりも大きいため、本体部１２と接触せずに回転することが可能である。このように、本体部１２によってストラップ取付け部材２０の回転が妨げられず、ストラップの使用における利便性が保たれる。
【００２０】
図４は、三脚取付け具１０とデジタルカメラ３０の上面図であり、図５は、三脚取付け具１０とデジタルカメラ３０の底面図である。なお、図４及び図５においては、ストラップ取付け部材２０は、デジタルカメラ側面３０Ｓに垂直な位置にある。
【００２１】
中心部２４と外周部２６は、いずれもデジタルカメラ側面３０Ｓ、もしくはデジタルカメラ側面３０Ｓに平行な面を底面とする円柱状であり、外周部２６は、ネジ穴１４に垂直な方向（ネジ穴の径方向）の長さが中心部２４よりも長い。すなわち、外周部２６の径方向寸法は、中心部２４の径方向寸法よりも大きく、外周部２６は径方向の肉厚が厚い。このため、ストラップ取付け部材２０が、ストラップ使用時にデジタルカメラ３０の自重に耐えるために必要とされる軸部材２２の長さが、軸部材２２が取付けられた外周部２６の側面２６Ｓとネジ穴１４との間で、容易に確保できる。
【００２２】
図６は、デジタルカメラ３０に取付けられた状態の三脚取付け具１０の断面図である。なお、図６においては、ストラップ取付け部材２０は、デジタルカメラ側面３０Ｓに垂直な位置にある。
【００２３】
ネジ穴１４は、デジタルカメラ側面３０Ｓに垂直な方向に設けられている。そして、ネジ穴１４の開口は、デジタルカメラ側面３０Ｓの外装面よりも外側に設けられ、ネジ穴１４の底側先端部１４Ｔは、デジタルカメラ側面３０Ｓの内壁よりも外側、すなわちストラップ取付け部材２０側にある。このため、三脚取付け具１０は、デジタルカメラ３０内部の空間をほとんど占めることはなく、デジタルカメラ３０内における部品の配置に制約は生じない。このため、デジタルカメラ３０の小型化が容易である。また、本実施形態においては、軸部材２２が挿入される取付け穴１４Ｈは、肉厚の厚い外周部２６に形成されている。外周部２６の径方向寸法は、取付け穴１４Ｈの深さに対して十分に大きく、このように、本体部１２の径方向の長さを十分に長くすることにより、本体部１２の強度を高めることができる。
【００２４】
以上のように本実施形態によれば、三脚取付け用のネジ穴１４をデジタルカメラ３０内に設けることなく、デジタルカメラ３０の小型化を容易にするとともに、三脚とストラップとをいずれも取付けられるために、デジタルカメラ３０表面の部材の配置を単純にする三脚取付け具１０を実現できる。
【００２５】
本体部１２の形状は、本実施形態に限定されない。例えば、十分なネジ穴１４の深さと軸部材２２の長さを確保できる場合、本体部１２は、デジタルカメラ３０の表面を底面とする円柱形であっても良く、また、円柱形以外の形状であっても良い。
【００２６】
三脚取付け具１０の位置は、三脚取付け時、及びストラップによる携帯時のデジタルカメラ３０のバランスが良好である限り、本実施形態に限定されない。例えば、デジタルカメラ３０の重心を通って、デジタルカメラ側面３０Ｓに平行な直線上、すなわちデジタルカメラ３０の底面にあっても良い。
【図面の簡単な説明】
【００２７】
【図１】三脚取付け具とデジタルカメラの斜視図である。
【図２】三脚取付け具とデジタルカメラの正面図である。
【図３】三脚取付け具とデジタルカメラの側面図である。
【図４】三脚取付け具とデジタルカメラの上面図である。
【図５】三脚取付け具とデジタルカメラの底面図である。
【図６】三脚取付け具の断面図である。
【符号の説明】
【００２８】
１０  三脚取付け具
１２  本体部
１４  ネジ穴
１４Ｄ  先端面（先端部）
２０  ストラップ取付け部材（ストラップ取付け部）
２２  軸部材
２４  中心部
２６  外周部
３０  デジタルカメラ（カメラ）
３２  撮影光学系
３４  撮像部
４０  カメラ本体部
４２  連結軸
Ｃ  中心軸
【図１】
2006064725.tif 000003
【図２】
2006064725.tif 000004
【図３】
2006064725.tif 000005
【図４】
2006064725.tif 000006
【図５】
2006064725.tif 000007
【図６】
2006064725.tif 000008